(57)【要約】【課題】本発明は、第１の目的として、日付の視認性に優れたカレンダー時計を提供すること、第２の目的として、カレンダー窓のデザインに汎用性のあるカレンダー時計を提供することにある。【解決手段】文字板１上にカレンダー窓２を設け、前記文字板１の下面に、周辺部に１〜３１までの日付文字４を記した日車３を設置し、前記日車３を日毎に回転させ、前記カレンダー窓２に、前記日付文字４を覗かせることによって、日付表示を行うカレンダー時計において、日車３に、十位の桁の数字の幅より、一位の桁の数字の幅を、数字の横幅のみ少なくとも１．１倍広く記した日付文字４を含ませた。また、縦幅は、すべての日付文字４について、同じ幅にした。また、表示される日付を、規則性によってグループ付けし、これらのグループのうち、少なくとも１つのグループについて、他のグループと異なる表示形態で、日車３上に記した。【選択図】　　　図１
2004132715.tif 000002
【特許請求の範囲】
【請求項１】
文字板上にカレンダー窓を設け、前記文字板の下面に、周辺部に１〜３１までの日付文字を記した日車を設置し、前記日車を日毎に回転させ、前記カレンダー窓に、前記日付文字を覗かせることによって、日付表示を行うカレンダー時計において、前記日車に記された日付文字の１０〜３１に、十位の桁の数字より、一位の桁の数字を、数字の横幅のみ広く表示し、縦幅は変わらない日付文字が含まれているカレンダー時計。
【請求項２】
請求項１記載のカレンダー時計であって、
前記日車に記された日付文字で、一位の桁の数字は、十位の桁の数字と比較して、少なくとも１．１倍横幅が広くなっていることを特徴とするカレンダー時計。
【請求項３】
請求項１または請求項２記載のカレンダー時計であって、
前記日車に記された日付文字で、一位の桁の数字は、十位の桁の数字と比較して、１．２〜３倍横幅が広くなっているカレンダー時計。
【請求項４】
請求項１〜３のいずれか一項に記載のカレンダー時計であって、前記日車に記された日付文字で、一位の桁の数字は、十位の桁の数字と比較して、１．２５〜２倍横幅が広くなっているカレンダー時計。
【請求項５】
文字板上にカレンダー窓を設け、前記文字板の下面に、周辺部に１〜３１までの日付文字を記した日車を設置し、前記日車を日毎に回転させ、前記カレンダー窓に、前記日付文字を覗かせることによって、日付表示を行うカレンダー時計において、表示される日付を、規則性によってグループ付けし、これらのグループのうち、少なくとも１つのグループが、他のグループと異なる表示形態で、日車上に記されているカレンダー時計。
【請求項６】
請求項５記載のカレンダー時計であって、
前記規則性とは、暦起因規則性であるカレンダー時計。
【請求項７】
請求項６記載のカレンダー時計であって、
前記暦起因規則性とは、日付文字に１週間ごとである（１〜７）（８〜１４）（１５〜２１）（２２〜２８）（２９〜３１）の５つのグループとして、グループ付けをすることであるカレンダー時計。
【請求項８】
請求項６記載のカレンダー時計であって、
前記暦起因規則性とは、日付文字に曜日別である（１・８・１５・２２・２９）（２・９・１６・２３・３０）（３・１０・１７・２４・３１）（４、１１、１８、２５）（５、１２、１９、２６）（６、１３、２０、２７）（７、１４、２１、２８）の７つのグループとして、グループ付けをすることであるカレンダー時計。
【請求項９】
請求項５記載のカレンダー時計であって、
前記規則性とは、数字起因規則性であるカレンダー時計。
【請求項１０】
請求項９記載のカレンダー時計であって、
前記数字起因規則性とは、偶数（２・４・６・８・１０・・・・）、奇数（１・３・５・７・９・１１・・・・）の２つのグループとして、グループ付けをすることであるカレンダー時計。
【請求項１１】
請求項９記載のカレンダー時計であって、
前記数字起因規則性とは、５日ごとである（１〜５）（６〜１０）（１１〜１５）（１６〜２０）（２１〜２５）（２６〜３０）（３１）の７つのグループとして、グループ付けをすることであるカレンダー時計。
【請求項１２】
請求項９記載のカレンダー時計であって、
前記数字起因規則性とは、一位の桁の数字別である（１・１１・２１・３１）（２・１２・２２）（３・１３・２３）（４・１４・２４）（５・１５・２５）（６・１６・２６）（７・１７・２７）（８・１８・２８）（９・１９・２９）（１０・２０・３０）の１０のグループとして、グループ付けをすることであるカレンダー時計。
【請求項１３】
請求項９記載のカレンダー時計であって、
前記数字起因規則性とは、十位の桁の数字別である（１〜９）（１０〜１９）（２０〜２９）（３０〜３１）の４つのグループとして、グループ付けをすることであるカレンダー時計。
【請求項１４】
請求項５記載のカレンダー時計であって、
前記表示形態が異なる箇所は、日付文字であることを特徴とするカレンダー時計。
【請求項１５】
請求項５記載のカレンダー時計であって、
前記表示形態が異なる箇所は、日付文字の背景であることを特徴とするカレンダー時計。
【請求項１６】
請求項５記載のカレンダー時計であって、
前記異なる表示形態とは、色彩系であるカレンダー時計。
【請求項１７】
請求項５記載のカレンダー時計であって、
前記異なる表示形態とは、模様であることを特徴とするカレンダー時計。
【請求項１８】
請求項１６記載のカレンダー時計であって、
前記色彩系は、同グループ内で、同一色であるカレンダー時計。
【請求項１９】
請求項１６記載のカレンダー時計であって、
前記色彩系は、同グループ内で、同系色であるカレンダー時計。
【請求項２０】
請求項１９記載のカレンダー時計であって、
前記同グループ内で同系色とは、同グループ内で、色の系列は同じで、色調に濃淡の変化があるカレンダー時計。
【請求項２１】
請求項１９記載のカレンダー時計であって、
前記同グループ内で同系色とは、同グループ内で、色の系列は同じで、色調に寒暖的な変化があるカレンダー時計。
【請求項２２】
請求項５、１４、１５のいずれか一項に記載のカレンダー時計であって、
前記日付文字は、十位の桁の数字より、一位の桁の数字を、数字の横幅のみ広く表示し、縦幅は変わらないカレンダー時計。
【請求項２３】
請求項５、１４、１５、２２いずれか一項に記載のカレンダー時計であって、
前記日車に記された日付文字で、一位の桁の数字は、十位の桁の数字と比較して、少なくとも１．１倍の横幅が広くなっているカレンダー時計。
【請求項２４】
請求項５、１４、１５、２２、２３のいずれか一項に記載のカレンダー時計であって、
前記日車に記された日付文字で、一位の桁の数字は、十位の桁の数字と比較して、好ましくは、１．２〜３倍横幅が広くなっているカレンダー時計。
【請求項２５】
請求項５、１４、１５、２２、２３、２４のいずれか一項に記載のカレンダー時計であって、
前記日車に記された日付文字で、一位の桁の数字は、十位の桁の数字と比較して、最も好ましくは１．２５〜２倍横幅が広くなっているカレンダー時計。
【発明の詳細な説明】
【０００１】
【発明の属する技術分野】
本発明は、日付表示を有するカレンダー時計に関し、特に日付の視認性に優れたカレンダー時計に関する。
【０００２】
【従来の技術】
従来の、文字板上のカレンダー窓から、文字板の下面で日毎に回転する日車上に記された日付文字を覗かせ、日付を表示するタイプのカレンダー時計は、その構造上、日付文字がやや小さめとなり、日付文字が見にくく、特に、高齢者など視力の弱い方においては、判読できないと言う問題があった。そのため、レンズを設置し、日付文字を大きく見せようと、視認性向上のための工夫がなされていた。しかし、その分、部品点数が増えてしまい、また、外観的にも良くはなかった。
【０００３】
それら問題を解決すべく、部品点数を増加させず、日付文字を見やすい大きなものにするための手段として、特許文献１において、以下のような開示がある。図７に示すように、窓（カレンダー窓）２１形状を、縦方向の二辺が平行である、四辺の長さの異なる近似菱形形状とする。このような窓形状にすることで、日車２２上における、日文字（日付文字）２３記入のための有効面積を増すことが可能である。
【０００４】
また、文字板の３時〜５時の位置に、窓２１を設置するにすることによって、日付文字２３の右側のスペースが、特に大きく増える。このとき、１０〜３１までの数にあっては、十位の桁の１，２，３の数について、一位の桁よりやや小さめになるが、このことはかえって一位の数を強調することになり、例えば、今日が１３日か１４日か判読する場合、人間工学的には十位の１については無意識に見ており、３か４かが判別できれば、全体として１３日か１４日かを咄嗟に知ることができる。そのため、日文字２３が見やすく、日付の視認性が非常に向上する。
【０００５】
一方、文字や数字と比較して、色調や模様などはイメージデータとして瞬時に認識することができることもある。特許文献２において、日毎に文字板上の表示色が変わるという開示がある。
【０００６】
図８に示すように、文字板２０の時刻指示目盛り位置に穴２４を開け、この穴２４にカレンダー表示用の車（日車）２５の一部回転軌跡部分２６が臨まれるように構成し、前記回転軌跡部分２６には、図９に示すように、色彩が施されている。回転軌跡部分２６に施された色彩は、少なくとも７つの色調に区分されている。そのため、日車２５が毎日一回変わる度に、時刻指示の目盛りの色が変わる。
【０００７】
【特許文献１】
特開昭５１−９１７５９号公報
【特許文献２】
実公昭５６−４６２３６号公報
【０００８】
【発明が解決しようとする課題】
しかしながら、特許文献１に開示されている技術については、窓（カレンダー窓）形状が、縦方向の二辺が平行で、四辺の長さの異なる近似菱形形状であるという、非常に特異な形状をしている。そのため、デザインに制約がなされ、汎用性に欠ける。また、一位に桁の数字に比べ、十位の桁の数字の縦幅が狭く、両数字の縦方向に対するバランスが悪く表示されるため、全体的に日付文字が極めて読みにくい。
【０００９】
また、特許文献２に開示されている技術では、日毎に色彩が変わることは、デザイン的に斬新である。しかし、それから日付を判読するためには、回転軌跡部分に施された色彩は、３１の色調に区分されていなくてはならない。そして、毎日変わる３１もの色彩と、それに対応する日付を覚える必要があり、実用性には欠けたものとなってしまう。
【００１０】
本発明は、係る課題を解決し、第１の目的として、日付の視認性に優れたカレンダー時計を提供することにある。
また、本発明の第２の目的は、カレンダー窓のデザインに制約がなく、カレンダー窓のデザインに汎用性のあるカレンダー時計を提供することにある。
【００１１】
【課題を解決するための手段】
上述の課題を解決するために、本発明におけるカレンダー時計は、請求項１に記載された通り、文字板上にカレンダー窓を設け、前記文字板の下面に、周辺部に１〜３１までの日付文字を記した日車を設置し、前記日車を日毎に回転させ、前記カレンダー窓に、前記日付文字を覗かせることによって、日付表示を行うカレンダー時計において、前記日車に記された日付文字の１０〜３１に、十位の桁の数字より、一位の桁の数字を、数字の横幅のみ広く表示し、縦幅は変わらない日付文字含まれている。
【００１２】
これにより、本発明におけるカレンダー時計は、十位の桁の数字と一位の桁の数字と縦幅は変わらないので、十位の桁の数字も一位の桁の数字と同様に、大きく表示されるので、日付文字が読みやすい。かつ、十位の桁の数字より、一位の桁の数字を、数字の横幅のみ広く表示したので、一位の桁の数字がより大きく表示されるので日付文字が読みやすい。
【００１３】
また、十位の桁の数字と、一位の桁の数字の縦幅が同じであるので、特異な形状のカレンダー窓にする必要がなく、一般に用いられている矩形、丸形の窓についても充分使用可能である。従って、カレンダー窓のデザイン的に制約がなく、カレンダー窓のデザインに汎用性がある。
【００１４】
また、前記日車に記された日付文字で、一位の桁の数字は、十位の桁の数字と比較して、少なくとも１．１倍横幅が広くなっている。このようにすると、一位の桁の数字の視認性が向上する。
【００１５】
しかしながら、十位の桁の数字に対する一位の桁の数字の横幅の倍率を大きくしすぎると、十位の桁の数字の横幅が小さくなりすぎるので、かえって十位の桁の数字が読み取りにくくなる。よって、この倍率は１０倍までであることが好ましい。さらに、この倍率は、好ましくは、１．２〜３倍、最も好ましくは１．２５〜２倍程度である。
【００１６】
また、上述の課題を解決するために、本発明におけるカレンダー時計は、請求項５に記載された通り、文字板上にカレンダー窓を設け、前記文字板の下面に、周辺部に１〜３１までの日付文字を記した日車を設置し、前記日車を日毎に回転させ、前記カレンダー窓に、前記日付文字を覗かせることによって、日付表示を行うカレンダー時計において、表示される日付を、規則性によってグループ付けし、これらのグループのうち、少なくとも１つのグループが、他のグループと異なる表示形態で、日車上に記されている。
【００１７】
文字や数字と比較した場合、表示形態の方がイメージデータとして瞬時に確認しやすい。そのため、表示された日付の表示形態によって、どのグループに属する日付が表示されているか、日付のグループが変わったなど、日付を判断するために有効な情報が瞬時に得られ、日付が読みとりやすい。
【００１８】
ここでグループ付けをする規則性とは、例えば、１週間ごと（１〜７／８〜１４／１５〜２１／２２〜２８／２９〜３１）、曜日別（１・８・１５・２２・２９／２・９・１６・２３・３０／３・１０・１７・２４・３１／・・・・）などの暦に起因する暦起因規則性、また、偶数／奇数（２・４・６・８・１０・・・・／１・３・５・７・９・１１・・・・）、５日ごと（１〜５／６〜１０／１１〜１５／１６〜２０／２１〜２５／２６〜３０／３１）、一位の桁の数別（１・１１・２１・３１／２・１２・２２／３・１３・２３／４・１４・２４／・・・・）など数字に起因する数字起因規則性などのことである。
【００１９】
また、請求項１３に記載された通り、前記日付文字にグループ付けをする規則性とは、１〜９、１０〜１９、２０〜２９、３０〜３１とグループ付けされるように、十位の桁の数字である、それぞれ０、１、２、３に起因する数字起因規則性であってもよい。
【００２０】
また、表示形態が変わる箇所としては、確認させたい日付文字を直接的に変化させ、印象づけることで、日付を判断するために有効な情報を与えることができる。また、確認させたい日付文字の背景を変化させることで、間接的に日付を判断するために有効な情報を印象づけることもできる。また、日付文字と日付文字の背景の両方を同時に変化させ、より強烈に日付の変化を印象づけることもできる。
【００２１】
もしくは、日付を２種類の規則性でグループ付けし、一方のグループ付けでは日付文字の表示形態を、もう一方のグループ付けでは日付文字の背景の表示形態を、それぞれ対応させて変化させることもできる。このように、タイミングをずらして、日付文字と、日付文字の背景の表示形態を変化させることによって、日付を判断するために有効な情報を、より多く与えることもできるので、日付が読みとりやすい。
【００２２】
また、前記異なる表示形態が、色彩系である場合、色調によって、どのグループに属する日付が表示されているか、日付のグループが変わった等の日付を判断するために有効な情報が、カラーイメージとして瞬時に得られるため、日付が読み取りやすい。例えば、日付を十位の桁の数字に起因する１〜９、１０〜１９、２０〜２９、３０〜３１とグループ付けした場合、２０〜２９のグループのみ、日付文字を赤で日車に記し、他のグループの日付文字を黒で記す。このようにすることによって、比較的混乱しやすい２０日代の数字を、隣接する１０日代、３０日代の数字から、はっきり区別化することができる。
【００２３】
また、前記異なる表示形態が、模様である場合も同様に、模様によって、どのグループに属する日付が表示されているか、日付のグループが変わった等の日付を判断するために有効な情報が、画像イメージとして瞬時に得られるため、日付が読み取りやすい。例えば、日付を十位の桁の数字に起因する１〜９、１０〜１９、２０〜２９、３０〜３１とグループ付けした場合、日付文字の背景を１〜９のグループは白地無地とし、１０〜１９のグループは白地に青の太線を縦方向に１本引き、２０〜２９のグループは白地無地にし、３０〜３１のグループは白地に青の細かい水玉模様とする。このようにグループごとに変化を持たせて、日車に記すことによって、表示されている日付が、どのグループに属する日付が表示されているか、日付のグループが変わった等の日付を判断するために有効な情報が、画像イメージとして瞬時に得られるため、日付が読みとりやすい。
【００２４】
また、前記異なる色彩系は、同グループ内で、同色または、同系色である。異なる色彩系は、同グループ内で、同色である場合、これまでに述べたように、色調によって、日付を判断するために有効な情報が、カラーイメージとして瞬時に得られるため、日付が読み取りやすい。さらに、前記異なる色彩系が、同グループ内で、同系色である場合、同グループ内で、濃淡の変化、または、赤み、青みまたは、暖色系から寒色系へなど、色調を寒暖的に変化させることによって、日付を判断するために有効な情報を、より多く与えることができる。
【００２５】
例えば、日付を十位の桁の数字に起因する１〜９、１０〜１９、２０〜２９、３０〜３１とグループ付けした場合、日付文字の背景を１〜９のグループは水色系、１０〜１９のグループは桃色系、２０〜２９のグループは黄緑色系、３０〜３１のグループは紫色系の色彩系で、さらにそれぞれのグループで日付が大きくなるほど色調が濃くなっていくように、日車に記す。このように、グループごとに色彩系は統一して記されているため、表示されている色調によって、どのグループの日付が表示されているかが、瞬時に判断できる。また、それぞれのグループで日付が大きくなるほど色調が濃くなっていくように記すことで、比較的薄目の色調の表示であれば、グループ内で比較的前の方の日付が表示されている、逆に、比較的濃い目の色調の表示であれば、グループ内で比較的後の方の日付が表示されているということが、瞬時に判断することができるので、日付が読みとりやすい。
【００２６】
また、日付文字と日付文字の背景の色調が、補色関係にあると日付文字が強調され、よりいっそう日付の視認性が向上する。
【００２７】
また、これまでに述べたように、日付をグループ付けしたグループ群の中に、異なる表示形態で表示されるグループがあり、さらに、日付文字の十位の桁の数字と比較して、一位の桁の数字を、横幅のみ広く表示する事によって、よりいっそう日付が読みとりやすくなる。また、十位の桁の数字と、一位の桁の数字の縦幅が同じであるので、特異な形状のカレンダー窓にする必要がなく、一般に用いられている矩形、丸形の窓についても充分使用可能である。従って、カレンダー窓のデザイン的に制約がなく、カレンダー窓のデザインに汎用性がある。
【００２８】
【発明の実施の形態】
以下、本発明のカレンダー時計の実施例１〜２について図を参考に詳細に説明する。
【００２９】
（実施例１）
実施例１のカレンダー時計は、図１に示す以下のような構成部分を有し、日付表示を行う。文字板１上の３時方向に、矩形のカレンダー窓２を設け、文字板１の下面に、周辺部に１〜３１までの日付文字４を記した日車３（図２に示す）を設置する。日車３を日毎に回転させ、前記カレンダー窓２に、前記日付文字４を覗かせることによって、日付表示を行う。
【００３０】
日車３に記した日付文字４のうち、２３〜２９の日付数字については、図３に示すように、特に意識して、十位の桁の数字の幅Ｗ１より、一位の桁の数字の幅Ｗ２を、数字の横幅のみ約１．５倍広くした。また、縦幅は、すべての日付文字について、同じ幅にした。
【００３１】
このとき、十位の桁の数字が１のときは、１という数字は構図上、自然と幅が狭く表示されるので、あえて意識しなくとも、一位の桁の数字の幅が幅広に記される。また、２０と３０は、十位の桁の数字が変わったことを強調するために、一位の桁の数字を幅広に記さずに、十位、一位の桁の数字を同じ幅に記した。また、２１と３１は、やはり１という数字は構図上、自然と幅が狭く表示されるので、幅広に記すことは、見ためにも良くはなく、日付の視認性もおちる。また、２２は、同じ数字を並列させ、片方のみ幅広に記すと、バランスが悪く、違和感を覚えるため、美観を損なう。以上の理由のため、実施例２においては、２３〜２９のみ、意識して、十位の桁の数字の幅Ｗ１より、一位の桁の数字の幅Ｗ２を、数字の横幅のみ約１．５倍広く記した。
【００３２】
このように日付文字を日車に記すことによって、十位の桁の数字と一位の桁の数字と縦幅は変わらないので、十位の桁の数字も一位の桁の数字と同様に、大きく表示され、日付文字が読みやすい。かつ、十位の桁の数字より、一位の桁の数字を、数字の横幅のみ広く表示したので、一位の桁の数字がより大きく表示されるので、一位の桁の数字読みやすい。
【００３３】
また、十位の桁の数字と、一位の桁の数字の縦幅が同じであるので、特異な形状のカレンダー窓にする必要がなく、実施例１に記載されている矩形のカレンダー窓と同様に、一般的に用いられている丸形のカレンダー窓についても、充分使用可能である。従って、カレンダー窓のデザインに制約がなく、カレンダー窓のデザインに汎用性がある。
【００３４】
（実施例２）
実施例２として、日付をグループ付けし、グループごとに、表示形態である表示文字の背景の色調を、変化させて表示したカレンダー時計について説明する。表示部分の基本的な構造は、実施例１と同様のため、詳細は省略する。
【００３５】
日車３上に記す日付を、十位の桁の数字に起因する１〜９、１０〜１９、２０〜２９、３０〜３１とグループ付けし、図４に示すように、日付文字の背景を１〜９のグループは水色系６、１０〜１９のグループは桃色系７、２０〜２９のグループは黄緑色系８、３０〜３１のグループは紫色系９の色彩系で記した。また、日付文字は統一して、黒で記した。
【００３６】
このように日車３に記すことによって、日付文字の背景の色調によって、どのグループに属する日付が表示されているか、日付のグループが変わった等の、日付を判断するために有効な情報が、カラーイメージとして瞬時に得られるため、日付が読み取りやすい。
【００３７】
さらに、図５に示すように、それぞれのグループで日付が大きくなるほど色調が濃くなっていくように、日車３上に記すことによって、比較的薄目の色調の表示であれば、グループ内で比較的前の方の日付が表示されている、逆に、比較的濃い目の色調の表示であれば、グループ内で比較的後の方の日付が表示されているということが、瞬時に判断することができるので、さらに日付が読みとりやすくなる。
【００３８】
なお、上記の同グループ内での色調の変化が、濃淡の変化のみならず、赤み、青みなど色調を寒暖的に変化させることによっても、同様の効果が得られることは言うまでもなく容易である。
【００３９】
なお、表示形態として、模様を変化させる場合においても同様に、模様によって、どのグループに属する日付が表示されているか、日付のグループが変わった等の日付を判断するために有効な情報が、画像イメージとして瞬時に認識できるため、日付が読み取りやすい。
【００４０】
またここでは、日車３上に記す日付を、十位の桁の数字に起因すると言う規則性によって、１〜９、１０〜１９、２０〜２９、３０〜３１とグループ付けしたが、規則性として、１週間ごと（１〜７／８〜１４／１５〜２１／２２〜２８／２９〜３１）、曜日別（１・８・１５・２２・２９／２・９・１６・２３・３０／３・１０・１７・２４・３１／・・・・）などの暦に起因する暦起因規則性、また、偶数／奇数（２・４・６・８・１０・・・・／１・３・５・７・９・１１・・・・）、５日ごと（１〜５／６〜１０／１１〜１５／１６〜２０／２１〜２５／２６〜３０／３１）、一位の桁の数別（１・１１・２１・３１／２・１２・２２／３・１３・２３／４・１４・２４／・・・・）など数字に起因する数字起因規則性などによって、グループ付けしても同様の効果が得られることは言うまでもなく容易である。
【００４１】
また、すべてのグループについて、異なる表示形態で記さずに、グループごとに交互に表示形態を変化させる、または、特に強調したいグループのみ、他のグループと異なる表示形態で記すことによっても、同様の効果が得られることは言うまでもなく容易である。
【００４２】
また、表示形態が変わる箇所は、日付文字の背景のみに限らず、日付文字のみ、または日付文字と日付文字の背景の両方であっても、同様の効果が得られることは言うまでもなく容易である。
【００４３】
また、日付文字と日付文字の背景の色調が、補色関係にあると日付文字が強調され、よりいっそう日付の視認性が向上する。
【００４４】
また、図６の日車のように、日付をグループ付けしたグループ群の中に、異なる表示形態である色調が異なるグループがあり、さらにグループ内で色調を濃淡の変化をさせ、さらに、日付文字の十位の桁の数字と比較して、一位の桁の数字を、横幅のみ広く表示する事によって、よりいっそう日付が読みとりやすくなる。また、十位の桁の数字と、一位の桁の数字の縦幅が同じであるので、特異な形状のカレンダー窓にする必要がなく、一般に用いられている矩形、丸形の窓についても充分使用可能である。従って、カレンダー窓のデザインに制約がなく、カレンダー窓のデザインに汎用性がある。
【００４５】
【発明の効果】
以上説明したように、本発明によるカレンダー時計は、日付文字の十位の桁の数字と比較して、一位の桁の数字を、横幅のみ広く表示する事によって、日付の視認性に優れたカレンダー時計を提供することができる。
【００４６】
また、表示される日付を、規則性によってグループ付けし、これらのグループのうち、少なくとも１つのグループが、他のグループと異なる表示形態で、日車上に記されていることによって、日付の視認性に優れたカレンダー時計を提供することができる。
【００４７】
また、カレンダー窓形状を、特異な形状にする必要がないので、カレンダー窓のデザインにも制約がない、カレンダー窓のデザインに汎用性のあるカレンダー時計を提供することができる。
【図面の簡単な説明】
【図１】実施例１における、カレンダー時計の表示部分の正面図である。
【図２】実施例１における、カレンダー時計の日車の正面図である。
【図３】実施例１における、カレンダー時計の日車上に記された日付文字。
【図４】実施例２における、カレンダー時計の日車の正面図。
【図５】実施例２のカレンダー時計の日車について、日付文字の背景の色調に濃淡の変化を持たせた場合の正面図である。
【図６】実施例２のカレンダー時計の日車について、日付文字の背景の色調に濃淡の変化を持たせ、日付文字に日付文字の十位の桁の数字と比較して、一位の桁の数字を、横幅のみ広く表示した場合の正面図である。
【図７】従来例における、カレンダー時計の表示部分の正面図である。
【図８】従来例における、カレンダー時計の組立正面図である。
【図９】従来例における、カレンダー時計の日車の正面図である。
【符号の説明】
１　文字板
２　カレンダー窓
３　日車
４　日付文字
５　日付文字の背景
６　水色系
７　桃色系
８　黄緑色系
９　紫色系
２０　文字板
２１　窓（カレンダー窓）
２２　日車
２３　日文字（日付文字）
２４　穴（カレンダー窓）
２５　カレンダー表示用の車（日車）
２６　回転軌跡部分
【図１】
2004132715.tif 000003
【図２】
2004132715.tif 000004
【図３】
2004132715.tif 000005
【図４】
2004132715.tif 000006
【図５】
2004132715.tif 000007
【図６】
2004132715.tif 000008
【図７】
2004132715.tif 000009
【図８】
2004132715.tif 000010
【図９】
2004132715.tif 000011